(57)【要約】【課題】遺体から移った雑菌が増殖することを効果的に抑制でき、しかも、会葬者、葬儀社の職員等、棺に触れた人に雑菌が付着する可能性を大幅に低減できる棺を提供することである。【解決手段】遺体を収容する本体部材Ｈと、本体部材Ｈに対して取り外し可能に装着される蓋部材Ｆとを有する棺において、本体部材Ｈと蓋部材Ｆを覆う布部材Ｎを設けてあり、布部材Ｎは、抗菌作用を有するものである【選択図】図２
0003155694.tif 000002
【実用新案登録請求の範囲】
【請求項１】
遺体を収容する本体部材と、本体部材に対して取り外し可能に装着される蓋部材とを有する棺において、
本体部材と蓋部材を覆う布部材を設けてあり、布部材は、抗菌作用を有するものである
ことを特徴とする棺。
【請求項２】
布部材で覆われた本体部材に収容される布団部材を有し、布団部材は、抗菌作用を有するものであることを特徴とする請求項１に記載の棺。
【請求項３】
布部材は、抗菌剤のスプレーによって抗菌作用を持たされたものであることを特徴とする請求項１または請求項２に記載の棺。
【請求項４】
布団部材は、抗菌剤のスプレーによって抗菌作用を持たされたものであることを特徴とする請求項２または請求項３に記載の棺。
【考案の詳細な説明】
【技術分野】
【０００１】
本考案は、遺体を収容する本体部材と、本体部材に対して取り外し可能に装着される蓋部材とを有する棺に関する。
【背景技術】
【０００２】
従来から、遺体を収容して葬るために、棺が使用されている。
そして、棺には、木製の木棺、及び石造の石棺がある。
これらのうち、木棺は、主として火葬を行うために用いられ、石棺は、主として土葬を行うために用いられる。ただし、木棺は、土葬を行う場合に用いられることもある。
また、木棺は、天然木棺と、合板製のフラッシュ棺に大別されており、また、近年は、特殊ダンボール製のエコ棺も提供されるようになっている。
これらのうち、天然木棺は、檜、樅、桐等の無垢材を用いて製造されるので、高級感のある棺を得ることができる。
これに対して、合板製のフラッシュ棺、特殊ダンボール製のエコ棺は、そのままでは、高級感を持たせることができない。
しかし、合板製のフラッシュ棺、特殊ダンボール製のエコ棺の外周を覆うように装飾用シートを設けた構成の棺が提供されるようになってきている（特許文献１参照）。
【０００３】
このような棺は、低価格化を達成でき、しかも高級感をも達成することができる。
また、上記の棺においては、その内面をむきだしにしないように、布張りを施すことが提案され、実用化されている。
この場合における布としては、一般的な布が採用されている。
具体的には、例えば、板材に布を巻き付けておき、このような板材を用いて棺を組み立てるようにしている。
そして、このような棺に遺体を収容して、通夜、葬儀等の式典を行う。
したがって、この式典を通じて、会葬者は死者との別れの儀式のために、棺に触れることになり、また、式典の円滑な進行を補助する葬儀社の職員も必要に応じて棺に触れることになる。
【０００４】
また、遺体には雑菌が付着していることが多く、このような雑菌は、棺の内面に施された布にも付着し、しかも増殖し易いことが多い。
特に、棺に遺体を収容してから、通夜、葬儀等の式典を行うまでに長時間がかかったような場合には、雑菌の繁殖が著しくなってしまい、この結果、会葬者、葬儀社の職員等、棺に触れた人に雑菌が付着する可能性が大幅に高くなってしまう。
また、死因によっては、人体に有害な細菌が遺体に存在する可能性があり、このような場合には、会葬者、葬儀社の職員等、棺に触れた人に細菌が付着することによって、病気になってしまう可能性がある。
【先行技術文献】
【特許文献】
【０００５】
【特許文献１】実用新案登録第３１２９９４０号公報
【考案の概要】
【考案が解決しようとする課題】
【０００６】
本考案が解決しようとする課題は、以下の通りである。
○本考案が解決しようとする第１課題
遺体から移った雑菌が増殖することを効果的に抑制できる棺を提供することである。
○本考案が解決しようとする第２課題
会葬者、葬儀社の職員等、棺に触れた人に雑菌が付着する可能性を大幅に低減できる棺を提供することである。
○本考案が解決しようとする第３課題
コストアップを抑制できる棺を提供することである。
【課題を解決するための手段】
【０００７】
課題を解決するための手段は、本願の[実用新案登録請求の範囲]の各請求項に記載の考案である。
実用新案登録請求の範囲、明細書、図面の用語の解釈上の疑義を解消すべく、以下、用語の説明を行うこととする。
＜用語の説明＞
○棺とは、遺体を収容するためのものをいい、木製の木棺、及び石造の石棺がある。
そして、木棺には、天然木棺、合板製のフラッシュ棺、特殊ダンボール製のエコ棺がある。
○本体部材とは、遺体を収容できるように、十分な深さを有し、上部が開放された部材をいう。
○蓋部材とは、本体部材の上部開口を覆うことができる部材をいう。この蓋部材には、本体部材に収容された遺体の顔部分を見ることができるようにするために、開閉扉部材を設けてあってもよい。
【０００８】
○布部材とは、本体部材及び蓋部材の少なくとも内面を覆うように設けられた部材をいう。
○布とは、多数の繊維を薄く広い板状に加工したものをいい、織物、編み物（メリヤス生地）、レース、フェルト、不織布が例示できる。
○抗菌作用とは、細菌の増殖を阻止する作用をいう。
○布団部材とは、遺体をその上に横たえるために用いられる部材をいい、敷き布団部材に相当するものである。
【０００９】
○抗菌剤とは、細菌の増殖を抑制したり殺したりする働きのある物質をいう。ただし、広い範囲での微生物を制御する物質をいう場合もある。
抗菌剤には、無機系抗菌剤と有機系抗菌剤とがある。
そして、無機系抗菌剤は、銀、銅、亜鉛化合物等、金属イオンの静菌作用を利用したものであり、特に銀イオンによるものが効果が高い。
また、有機系抗菌剤は、有機物を利用した抗菌剤であり、合成系抗菌剤と天然系抗菌剤に大別される。
ここで、合成系抗菌剤とは、化学合成した有機化合物を利用したものをいう。
また、天然系抗菌剤とは、フィトンチッド等、天然物質によるものをいう。この天然系抗菌剤には、ヒノキチオール等、植物の精油を利用したものが多い。
○スプレーとは、圧縮した空気や高圧ガスを用いて液体を霧、泡などの状態で噴霧することをいう。
【００１０】
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
遺体を収容する本体部材と、本体部材に対して取り外し可能に装着される蓋部材とを有する棺において、
本体部材と蓋部材を覆う布部材を設けてあり、布部材は、抗菌作用を有するものである
ことを特徴とする棺である。
○第２の考案（請求項２に記載の考案）
上記の課題を解決するための第２の考案（請求項２に記載の考案）は、
布部材で覆われた本体部材に収容される布団部材を有し、布団部材は、抗菌作用を有するものであることを特徴とする請求項１に記載の棺である。
【００１１】
○第３の考案（請求項３に記載の考案）
上記の課題を解決するための第３の考案（請求項３に記載の考案）は、
布部材は、抗菌剤のスプレーによって抗菌作用を持たされたものであることを特徴とする請求項１または請求項２に記載の棺である。
○第４の考案（請求項４に記載の考案）
上記の課題を解決するための第４の考案（請求項４に記載の考案）は、
布団部材は、抗菌剤のスプレーによって抗菌作用を持たされたものであることを特徴とする請求項２または請求項３に記載の棺である。
【考案の効果】
【００１２】
本考案に係る棺は、上記のような特徴的構成要件から構成され、特徴的構成要件に応じた、以下のような本願考案特有の効果を奏する。
また、上記のような特徴的構成要件から構成された棺によれば、上記の課題を解決することができた。
○第１の考案の効果
第１の考案によれば、
遺体を収容する本体部材と、本体部材に対して取り外し可能に装着される蓋部材とを有する棺において、
本体部材と蓋部材を覆う布部材を設けてあり、布部材は、抗菌作用を有するものである
という特徴的な構成要件により、
遺体から移った雑菌が増殖することを効果的に抑制できると共に、会葬者、葬儀社の職員等、棺に触れた人に雑菌が付着する可能性を大幅に低減できる棺を提供することができた。
すなわち、本考案が解決しようとする第１課題及び第２課題を達成することができ、当業者予測不可能な顕著な効果を奏することができた。
【００１３】
○第２の考案の効果
第２の考案によれば、
布部材で覆われた本体部材に収容される布団部材を有し、布団部材は、抗菌作用を有するものであるという特徴的な構成要件により、
遺体から移った雑菌が増殖することを効果的に抑制できると共に、会葬者、葬儀社の職員等、棺の中の布団部材に触れた人に雑菌が付着する可能性を大幅に低減できる棺を提供することができた。
すなわち、本考案が解決しようとする第１課題及び第２課題を達成することができ、当業者予測不可能な顕著な効果を奏することができた。
【００１４】
○第３の考案の効果
第３の考案によれば、
布部材は、抗菌剤のスプレーによって抗菌作用を持たされたものであるという特徴的な構成要件により、
抗菌作用を持たせるための作業を簡単化することができ、抗菌加工を施した糸を用いて製造された布部材を用いる場合と比較して、大幅なコストダウンを達成することができた。
すなわち、本考案が解決しようとする第３課題を達成することができ、当業者予測不可能な顕著な効果を奏することができた。
【００１５】
○第４の考案の効果
第４の考案によれば、
布団部材は、抗菌剤のスプレーによって抗菌作用を持たされたものであるという特徴的な構成要件により、
抗菌作用を持たせるための作業を簡単化することができ、抗菌加工を施した糸を用いて製造された布団部材を用いる場合と比較して、大幅なコストダウンを達成することができた。
すなわち、本考案が解決しようとする第３課題を達成することができ、当業者予測不可能な顕著な効果を奏することができた。
【図面の簡単な説明】
【００１６】
【図１】本考案の棺の一実施形態を示す概略斜視図である。
【図２】図１の棺の中央縦断拡大正面図である。
【図３】棺の他の実施形態の中央縦断拡大正面図である。
【図４】棺のさらに他の実施形態の中央縦断拡大正面図である。
【考案を実施するための形態】
【００１７】
以下、添付図面を参照して、本考案の棺の実施の形態を詳細に説明する。
第１の考案の棺は、
遺体を収容する本体部材Ｈと、本体部材Ｈに対して取り外し可能に装着される蓋部材Ｆとを有する棺において、
本体部材Ｈと蓋部材Ｆを覆う布部材Ｎを設けてあり、布部材Ｎは、抗菌作用を有するものである
ことを特徴としている。
第２の考案の棺は、
布部材Ｎで覆われた本体部材Ｈに収容される布団部材ＦＴを有し、布団部材ＦＴは、抗菌作用を有するものであることを特徴としている。
第３の考案の棺は、
布部材Ｎは、抗菌剤のスプレーによって抗菌作用を持たされたものであることを特徴としている。
第４の考案の棺は、
布団部材ＦＴは、抗菌剤のスプレーによって抗菌作用を持たされたものであることを特徴としている。
【００１８】
[図１]は、本考案の棺の一実施形態を示す概略斜視図である。
[図２]は、図１の棺の中央縦断拡大正面図である。
[図３]は、棺の他の実施形態の中央縦断拡大正面図である。
[図４]は、棺のさらに他の実施形態の中央縦断拡大正面図である。
【００１９】
本考案の一実施形態に係る棺は、全体が直方体形状を有し、かつ上部が開放されてなる本体部材Ｈと、本体部材Ｈの平面形状と等しい平面形状を有し、かつ本体部材Ｈの上部に取り外し可能に装着される蓋部材Ｆとを有している。
ここで、本体部材Ｈ及び蓋部材Ｆは、天然木材からなる板材、薄い板材を積層してなる合板、ダンボール等を用いて製造されている。ただし、火葬を行わない場合には、天然石材、人工石材等からなる板材を用いて製造されていてもよい。
そして、本体部材Ｈの内面を覆うように布部材Ｎが設けられていると共に、蓋部材Ｆの下面を覆うように布部材Ｎが設けられている。
ここで、布部材Ｎの取り付けは、接着剤により達成されていてもよいが、釘止め、ねじ止め等により達成されていてもよい。
なお、布部材Ｎは、わかり易く図示するために、たるませた状態にしてある。しかし、実際には、殆どたるみがない状態で取り付けられることが好ましい。以下の実施形態においても、同様である。
【００２０】
また、布部材Ｎは、抗菌剤がスプレーされてなるものである。そして、抗菌剤をスプレーするタイミングは、布部材を取り付ける前であってもよく、布部材を取り付けた後であってもよい。
ここで、抗菌剤は、無機系抗菌剤、有機系抗菌剤の何れであってもよい。
そして、無機系抗菌剤を採用する場合には、銀、銅、亜鉛化合物等、金属イオンの静菌作用を利用したものが例示できるが、特に銀イオンによるものであることが好ましい。
また、有機系抗菌剤は、化学合成した有機化合物を利用してなる合成系抗菌剤、フィトンチッド等、天然物質によるものである天然系抗菌剤（ヒノキチオール等、植物の精油を利用したもの）の何れであってもよい。
また、特には図示していないが、本体部材Ｈの外面、及び蓋部材Ｆの外面には、棺にふさわしい装飾が施されている。
ここで、棺にふさわしい装飾は、従来公知であるから、説明を省略する。
【００２１】
上記の構成の棺において、蓋部材Ｆを本体部材Ｈから取り外しておいた状態で、遺体を本体部材Ｈに収容し、その後、蓋部材Ｆを本体部材Ｈに取り付けることによって、遺体の収容を完了する。なお、蓋部材Ｆは、葬儀式典の進行に合わせて一時的に本体部材Ｈから取り外され、遺体との対面、花等の副葬品の収容が行われる。
そして、遺体に雑菌が付着していた場合には、この雑菌が布部材Ｎに移ることになるが、布部材Ｎは抗菌作用を有しているので、雑菌の増殖を阻止することができる。
したがって、遺体との対面、花等の副葬品の収容等を行う過程で会葬者、葬儀社の職員等が棺の布部材Ｎに触れることがあっても、雑菌が会葬者、葬儀社の職員等に移ることを防止でき、ひいては、感染症を未然に防止することができる。
なお、上記の構成の棺において、蓋部材Ｆの下面への布部材Ｎの取り付けを省略することが可能である。この場合には、蓋部材Ｆの下面に遺体が触れるおそれは殆どないのであるから、上記と同様の作用を達成することができる。
【００２２】
本考案の他の実施形態の棺は、図３に示された通りである。
この棺が図２の棺と異なる点は、蓋部材Ｆに対して布部材Ｎを巻き付けた点、及び本体部材Ｈを構成する板材の各々に対して布部材Ｎを巻き付けておき、布部材Ｎが巻き付けられた板材を互いに連結することによって本体部材Ｈを構成した点のみである。
この場合には、布部材Ｎの取り付け方、取り付けタイミングが図２の棺とは異なるが、同様の作用を達成することができる。また、この実施形態では、蓋部材Ｆの外面、本体部材Ｈの外面も布部材Ｎで覆われるのであるから、雑菌の増殖を阻止できる範囲を拡大することができる。
【００２３】
本考案のさらに他の実施形態の棺は、図４に示された通りである。
この棺が図２の棺と異なる点は、本体部材Ｈに布団部材ＦＴを収容した点のみである。
この布団部材ＦＴは、布部材Ｎと同様に、抗菌剤がスプレーされてなるものである。
上記の構成の棺によれば、遺体が布団部材ＦＴの上に安置される。
したがって、遺体に付着している雑菌が布団部材ＦＴに移ることになるが、布団部材ＦＴは抗菌作用を有しているので、雑菌の増殖を阻止することができる。
【符号の説明】
【００２４】
Ｈ      本体部材
Ｆ      蓋部材
Ｎ      布部材
ＦＴ    布団部材
【図１】
0003155694.tif 000003
【図２】
0003155694.tif 000004
【図３】
0003155694.tif 000005
【図４】
0003155694.tif 000006